(57)【特許請求の範囲】
【請求項１】
複数の音声データと、ＳＤオーディオ規格で定義された少なくとも１つの前記音声データの管理データと、ＳＤオーディオ規格で定義された少なくとも１つの前記音声データの再生順序が登録されるプレイリストとを記録する記録媒体に対して行う編集処理を選択する編集処理選択部と、
前記編集処理に関連するプレイリストの選択を行うプレイリスト選択部と、
前記プレイリスト選択部で選択されたプレイリストを前記記録媒体から検索し、検索されたプレイリストに再生順序が登録されている全ての音声データと、その音声データに付随する全ての管理データと、その音声データが登録されている全てのプレイリストとの３種類のデータのうち、前記編集処理選択部で選択された編集処理に関与する種類のデータと前記音声データが登録されている全てのプレイリストの書き換えを、前記編集処理選択部で選択された編集処理に基づいて行う編集処理部とを備えた編集装置。
【請求項２】
編集処理選択部で管理データに記述された文字情報を他の文字情報に変更する編集処理を選択し、かつプレイリスト選択部でプレイリストを選択したとき、編集処理部は前記プレイリストを記録媒体から検索し、検索されたプレイリストに再生順序が登録されている全ての音声データに付随する全ての管理データに記述された文字情報を前記他の文字情報に書き換えることを特徴とする請求項１記載の編集装置。
【請求項３】
編集処理選択部でデータを削除する編集処理を選択し、かつプレイリスト選択部でプレイリストを選択したとき、編集処理部は前記プレイリストを記録媒体から検索し、検索されたプレイリストに再生順序が登録されている全ての音声データと、その音声データに付随する全ての管理データとを削除し、その音声データが登録されている全てのプレイリストについてその登録を解除することを特徴とする請求項１記載の編集装置。
【請求項４】
編集処理を選択する編集処理選択部と、
前記編集処理の対象とするプレイリストを選択するプレイリスト選択部と、
前記プレイリスト選択部で選択されたプレイリストを検索し、検索されたプレイリストに再生順序が登録されているコンテンツデータと、前記コンテンツデータに付随する管理データと、前記コンテンツデータが登録されているプレイリストとの３種類のデータのうち、前記編集処理選択部で選択された編集処理に関与する種類のデータと前記コンテンツデータが登録されているプレイリストの書き換えを、前記編集処理に基づいて行う編集処理部とを備えた編集装置。
【請求項５】
前記編集処理選択部で管理データに記述された文字情報を他の文字情報に変更する編集処理を選択し、かつ前記プレイリスト選択部でプレイリストを選択したとき、前記編集処理部は、前記選択されたプレイリストに再生順序が登録されている音声データに付随する管理データに記述された文字情報を前記他の文字情報に書き換えることを特徴とする請求項４記載の編集装置。
【請求項６】
前記編集処理選択部でデータを削除する編集処理を選択し、かつプレイリスト選択部でプレイリストを選択したとき、前記編集処理部は、前記プレイリストに再生順序が登録されている音声データと、前記音声データに付随する全ての管理データとを削除し、前記音声データが登録されているプレイリストについて前記登録を解除することを特徴とする請求項４記載の編集装置。
【請求項７】
前記編集処理部で行われるデータの書き換えは、前記編集処理選択部で選択された編集処理に関与する種類のデータであって、前記プレイリスト選択部で選択されたプレイリスト内の全データに対して行われることを特徴とする請求項１ないし６のいずれか１項記載の編集装置。
【発明の詳細な説明】
【０００１】
【発明の属する技術分野】
本発明は、音声データおよびＳＤオーディオ規格によって定義される上記音声データの管理データ（属性情報）およびＳＤオーディオ規格によって定義される音声データの再生順序を決定するプレイリストを不揮発性半導体メモリにデジタル記録することが可能であり、上記音声データおよび上記管理データおよび上記プレイリストを書き換えることが可能な記録書き換え装置である編集装置に関するものである。
【０００２】
【従来の技術】
音楽データを半導体メモリに記録し、再生させるシステムの登場により、そのデータ構造を規定するＳＤ（Ｓｅｃｕｒｅ  Ｄｉｇｉｔａｌ）オーディオ規格が発表された。
【０００３】
以下、ＳＤオーディオ規格について説明する。以降は、音声データを音楽データに限定し、曲と呼んで説明する。
【０００４】
ＳＤオーディオ規格は、ＳＤカード（半導体メモリカード）に書きこまれる音楽データおよびそれに付随するデータの構造を規定する規格である。また、規定されたデータはコンピュータ上で変更することができる。
【０００５】
図９はＳＤオーディオ規格のデータ構成図である。以下、図９について説明する。
【０００６】
曲（音楽データ）はネットワークから得ることもできるが、ＣＤ等に記録されている曲を変換して用いることもできる。
【０００７】
また、各曲（１１）は管理データ（１２）を持っており、文字情報（曲名、アーティスト名、アルバム名等）はその管理データ内に格納されている。各曲は識別情報（１０）を持っている。
【０００８】
各曲の再生順序は、プレイリスト（１３）と呼ばれるデータ内に格納されている。１つのＳＤカードにはＳＤカード内にある全ての曲の再生順序を登録したデフォルトプレイリストが１つだけ存在する。ここで登録とは、プレイリストに曲の識別情報（１０）を物理的な書きこみ位置を再生順序情報として書きこむことを意味する。また、ＳＤオーディオシステムの使用者（以下、ユーザと呼ぶ）が任意の曲順・曲数で登録したプレイリストを作成することもできる。
【０００９】
１つのＳＤカードに、曲は最大で９９９、プレイリストはデフォルトプレイリストを除いて９９まで書きこむことができる。また、ひとつのプレイリストに登録できる曲数は９９であり（デフォルトプレイリストに登録できる曲数は最大９９９）、同一曲が複数存在することを許可している。
【００１０】
各曲に対して編集処理（文字情報変更、音楽データの削除・移動・コピー、プレイリストへの登録等）を行う場合は、対象となる曲をユーザが選択し、その曲データと管理データおよびプレイリストの書き換えを行うという手順が必要である。
【００１１】
図１０は従来の編集装置のブロック図である。２０はデータの書き換え手段（削除するのか、文字情報を書きかえるのか等）を選択する書き換え手段選択部、２１はデータを書き換える曲を選択する曲選択部、２２は音楽データ、管理データ、プレイリストが記録されている記録部、２３は記録部２２に記録されている曲選択部２１で選択された曲の音楽データ、管理データまたはその曲が登録されているプレイリストを書き換え手段選択部２０で選択された書き換え手段で書き換える処理部である。また、図１１は従来の編集装置を用いて図９に示されるプレイリスト１に登録されている曲全てを削除するときのアルゴリズムを示すフローチャートである。以下、図１０の従来の編集装置の動作を図１１を用いて説明する。
【００１２】
まず、ユーザは書き換え手段選択部２０で曲の削除を選択し（処理３０１）、曲選択部２１で曲Ｅを選択し（処理３０２）、処理部２３が記録部２２に記録されている曲Ｅの曲データと管理データを削除し（処理３０３）、曲Ｅのプレイリストへの登録を解除する（処理３０４）。次に、ユーザは曲選択部２１で曲Ｃを指定し（処理３０５）、処理部２３が記録部２２に記録されている曲Ｃの曲データと管理データを削除し（処理３０６）、曲Ｃのプレイリストへの登録を解除する（３０７）。以下、曲Ｄに対しても同様の処理を行い、削除処理を完了することができる。結局、全体を通してユーザは３回の曲指定動作（処理３０２，３０５，３０８）を行ってプレイリスト１に登録されている曲全てを削除することになる。
【００１３】
【発明が解決しようとする課題】
現在生産されているＳＤカードの容量は最大で６４ＭＢであるが、将来的には１ＧＢの容量を持つＳＤカードも想定されている。これは、５分程度の楽曲であれば１００曲以上記録できる容量であり、家庭で聞く場合１００以上の曲を連続して聞くことは考えにくい。そこで、ユーザはプレイリストに数曲ずつ登録し、そのプレイリストに登録された曲のみを聞くことになると考えられる。つまり、ＳＤカードは、ひとつのカードの中にいくつもＣＤアルバムが入っているような感覚で使われることが容易に推測できる。
【００１４】
例えば、ユーザがあるプレイリストに登録されている曲全て（１つのＣＤアルバムと見なす）に聞き飽きてしまい、新しいＣＤアルバムの曲とまるごと入替えたい場合を考える。この場合、従来の技術で説明した図１１のような処理が必要となり、曲の指定作業をその曲数だけ繰り返さなければならなかった。
【００１５】
また、一のプレイリストの全ての内容を他のプレイリストに追加する場合、他のプレイリストに、一のプレイリストに登録されている全ての曲の指定作業をその曲数だけ繰り返さなければならなかった。
【００１６】
以上のように、ＳＤオーディオ規格に準拠したデータを扱う従来のソフトウェアでは１曲単位での入力動作を要する編集処理（文字情報変更、音楽データの削除・移動・コピー、プレイリストへの登録等）しか実現されていないため、プレイリストに登録されている全ての曲に対して同じ編集処理を行いたい場合であっても、曲の指定作業をその登録曲数だけ繰り返さなければならず、ユーザにとって負担になるという課題を有していた。
【００１７】
本発明は、上記の課題を解決し、プレイリストに登録されている全ての曲に対して同じ編集処理を行う場合等に、ユーザの作業（操作）の簡単化を図ることができる編集装置を提供することを目的とする。
【００１８】
【課題を解決するための手段】
本発明の請求項１記載の編集装置は、複数の音声データと、ＳＤオーディオ規格で定義された少なくとも１つの音声データの管理データと、ＳＤオーディオ規格で定義された少なくとも１つの音声データの再生順序が登録されるプレイリストとを記録する記録媒体に対して行う編集処理を選択する編集処理選択部と、編集処理に関連するプレイリストの選択を行うプレイリスト選択部と、プレイリスト選択部で選択されたプレイリストを記録媒体から検索し、検索されたプレイリストに再生順序が登録されている全ての音声データと、その音声データに付随する全ての管理データと、その音声データが登録されている全てのプレイリストとの３種類のデータのうち、編集処理選択部で選択された編集処理に関与する種類のデータと音声データが登録されている全てのプレイリストの書き換えを、編集処理選択部で選択された編集処理に基づいて行う編集処理部とを備えたものである。
【００１９】
本発明の請求項２記載の編集装置は、請求項１記載の編集装置において、編集処理選択部で管理データに記述された文字情報を他の文字情報に変更する編集処理を選択し、かつプレイリスト選択部でプレイリストを選択したとき、編集処理部はプレイリストを記録媒体から検索し、検索されたプレイリストに再生順序が登録されている全ての音声データに付随する全ての管理データに記述された文字情報を他の文字情報に書き換えることを特徴とする。
【００２０】
本発明の請求項３記載の編集装置は、請求項１記載の編集装置において、編集処理選択部でデータを削除する編集処理を選択し、かつプレイリスト選択部でプレイリストを選択したとき、編集処理部はプレイリストを記録媒体から検索し、検索されたプレイリストに再生順序が登録されている全ての音声データと、その音声データに付随する全ての管理データとを削除し、その音声データが登録されている全てのプレイリストについてその登録を解除することを特徴とする。
【００２１】
本発明の請求項４記載の編集装置は、編集処理を選択する編集処理選択部と、編集処理の対象とするプレイリストを選択するプレイリスト選択部と、プレイリスト選択部で選択されたプレイリストを検索し、検索されたプレイリストに再生順序が登録されているコンテンツデータと、コンテンツデータに付随する管理データと、コンテンツデータが登録されているプレイリストとの３種類のデータのうち、編集処理選択部で選択された編集処理に関与する種類のデータとコンテンツデータが登録されているプレイリストの書き換えを、編集処理に基づいて行う編集処理部とを備えたものである。
本発明の請求項５記載の編集装置は、請求項４記載の編集装置において、編集処理選択部で管理データに記述された文字情報を他の文字情報に変更する編集処理を選択し、かつプレイリスト選択部でプレイリストを選択したとき、編集処理部は、選択されたプレイリストに再生順序が登録されている音声データに付随する管理データに記述された文字情報を他の文字情報に書き換えることを特徴とする。
本発明の請求項６記載の編集装置は、請求項４記載の編集装置において、編集処理選択部でデータを削除する編集処理を選択し、かつプレイリスト選択部でプレイリストを選択したとき、編集処理部は、プレイリストに再生順序が登録されている音声データと、音声データに付随する全ての管理データとを削除し、音声データが登録されているプレイリストについて登録を解除することを特徴とする。
本発明の請求項７記載の編集装置は、請求項１ないし６のいずれか１項記載の編集装置において、編集処理部で行われるデータの書き換えは、編集処理選択部で選択された編集処理に関与する種類のデータであって、プレイリスト選択部で選択されたプレイリスト内の全データに対して行われることを特徴とする。
【００２２】
【発明の実施の形態】
本発明の請求項１の発明は、編集処理部が、プレイリスト選択部で選択されたプレイリストを記録媒体から検索し、検索されたプレイリストに再生順序が登録されている全ての音声データと、その音声データに付随する全ての管理データと、その音声データが登録されている全てのプレイリストとの３種類のデータのうち、編集処理選択部で選択された編集処理に関与する種類のデータと音声データが登録されている全てのプレイリストの書き換えを、編集処理選択部で選択された編集処理に基づいて行う。
【００２３】
この請求項１によれば、ユーザはプレイリスト選択部で選択されるひとつのプレイリストを指定する（１度の入力作業を行う）ことにより、プレイリストに登録されている全ての曲を編集処理対象とみなし、それらの曲に対して同じ編集処理をさせることができる。したがって、プレイリストに登録されている曲全てに同じ編集処理（文字情報変更、音楽データの削除・移動等）を行う場合に、ユーザによる曲指定入力回数を減らす作用を有する。
【００２４】
また、請求項２の発明は、請求項１記載の編集装置において、編集処理選択部で管理データに記述された文字情報を他の文字情報に変更する編集処理を選択し、かつプレイリスト選択部でプレイリストを選択したとき、編集処理部はプレイリストを記録媒体から検索し、検索されたプレイリストに再生順序が登録されている全ての音声データに付随する全ての管理データに記述された文字情報を他の文字情報に書き換えることを特徴とするものである。
【００２５】
この請求項２によれば、ユーザはプレイリスト選択部で選択されるひとつのプレイリストを指定し、１度文字情報を入力するだけで、そのプレイリストに登録された曲全てを文字情報変更対象とみなし、それらの曲の文字情報を一括して変更することができる。したがって、プレイリストに登録されている曲全てに同じ文字情報の変更をする場合に、ユーザによる曲指定および文字情報入力回数を減らす作用を有する。これは、１人（または１グループ）のアーティストによって作成されたＣＤアルバムに記録された音楽データをＳＤカードで使用できるデータに変換した後、アーティスト名やアルバム名を記入する場合に有効である。
【００２６】
また、請求項３の発明は、請求項１記載の編集装置において、編集処理選択部でデータを削除する編集処理を選択し、かつプレイリスト選択部でプレイリストを選択したとき、編集処理部はプレイリストを記録媒体から検索し、検索されたプレイリストに再生順序が登録されている全ての音声データと、その音声データに付随する全ての管理データとを削除し、その音声データが登録されている全てのプレイリストについてその登録を解除することを特徴とするものである。
【００２７】
この請求項３によれば、ユーザはプレイリスト選択部で選択される１つのプレイリストを指定する（１度の入力作業を行う）ことにより、そのプレイリストに登録されている全ての曲を削除対象とみなし、一括して削除することができる。したがって、プレイリストに登録されている曲全てを削除する場合に、ユーザによる曲指定入力回数を減らす作用を有する。これは、ユーザがあるプレイリストに登録されている曲全て（１つのＣＤアルバムと見なす）に聞き飽きてしまい、新しいＣＤアルバムの曲とまるごと入替えたい場合に有効である。
【００３０】
（第１の実施の形態）
図１は本発明の第１の実施の形態における編集装置のブロック図である。４０はプレイリストの選択を行うプレイリスト選択部、４１は音楽データと管理データとプレイリストが記録されている記録部、４２は記録部４１のデータを書き換える手段を選択する書き換え手段選択部、４３は作業領域である。作業領域４３には、プレイリスト選択部４０、書き換え手段選択部４２によって選択された内容、およびカウンタ、および書き換え済の曲の識別情報が記録される過去ログが、処理部４４によって記録される。また、処理部４４は作業領域４３に記録された内容に基づいて記録部４１に記録された内容を書き換える。記録部４１はＳＤカードからなる記録媒体であり、書き換え手段選択部４２が編集処理選択部であり、処理部４４および作業領域４３が編集処理部である。
【００３１】
以上のように構成された編集装置の動作を、図２に示すアルゴリズムのフローチャートに沿って説明する。
【００３２】
書き換え手段選択部４２でユーザが選択した書き換え手段の識別情報を作業領域４３に記録し（処理５０１）、プレイリスト選択部４０でユーザが選択したプレイリストの識別情報を作業領域４３に記録し（処理５０２）、作業領域４３に記録されているカウンタであるＸを０で初期化し（処理５０３）、作業領域４３に記録されている過去ログを初期化する（処理５０４）。ただし、処理５０１〜５０４の順序はどのようなものでも構わない。
【００３３】
次に、作業領域４３に記録されているプレイリストの識別情報を持つプレイリストを記録部４１から検索し、それにＸ＋１番目に再生する曲が登録されているかを確認し（分岐５０５）、登録されていれば過去ログと比較し（分岐５０６）、既に編集済であれば処理５０９へ飛ぶ。未編集であればその曲を記録部４１から検索し、作業領域４３に記録されている書き換え手段の識別情報を持つ書き換え手段でデータの書き換えを行い（処理５０７）、その曲の識別情報を過去ログに記録し（処理５０８）、Ｘの値を１つ増やし（処理５０９）、分岐５０５へ戻る。登録されている全ての曲に対して編集処理を終えれば、分岐５０５でＮＯに進み、処理が完了する。
【００３４】
例えば、図９のようなデータに対してこの方法を用いると、処理５０１で削除、処理５０２でプレイリスト１を指定すれば、処理５０７においてＸが０のとき曲Ｅの削除（音楽データ、管理データ、存在する全てのプレイリストへの登録の削除）、Ｘが１のとき曲Ｃの削除、Ｘが２のとき曲Ｄの削除が行われ、最後に分岐５０５でＮＯに進み、処理が完了する。
【００３５】
以上のように第１の実施の形態によれば、ユーザはプレイリスト選択部４０で選択されるひとつのプレイリストを指定する（１度の入力作業を行う）ことにより、プレイリストに登録されている全ての曲を編集処理対象とみなし、それらの曲に対して同じ編集処理をさせることができる。したがって、プレイリストに登録されている曲全てに同じ編集処理（文字情報変更、音楽データの削除・移動等）を行う場合に、ユーザによる曲指定入力回数を減らすことができる。
【００３６】
なお、編集処理のうち、文字情報の変更については、第２の実施の形態で詳しく説明し、音楽データの削除については第３の実施の形態でより詳しく説明する。ここで、音楽データの移動について、簡単に述べておく。
【００３７】
例えば、２つの記録媒体ＡとＢがあり、記録媒体Ａに記録されている音楽データを記録媒体Ｂへ移動する場合、記録媒体Ａに記録されている音楽データおよび管理データを記録媒体Ｂへ複写（コピー）するとともに記録媒体Ｂのプレイリストへ登録し、その後、複写した音楽データおよび管理データとこの音楽データのプレイリストへの登録を記録媒体Ａから全て削除することにより、移動が完了する。
【００３８】
（第２の実施の形態）
図３は本発明の第２の実施の形態における編集装置のブロック図である。６０はプレイリストの選択を行うプレイリスト選択部、６１は文字情報の選択をおこなう文字情報選択部、６２は文字の入力を行う文字入力部、６３は音楽データと管理データとプレイリストが記録されている記録部、６４は作業領域である。作業領域６４には、プレイリスト選択部６０、文字情報選択部６１、文字入力部６２によって選択または入力された内容、およびカウンタ、および書き換え済の曲の識別情報が記録される過去ログが処理部６５によって記録される。また、処理部６５は作業領域６４に記録された内容に基づいて記録部６３に記録された内容を書き換える。記録部６３はＳＤカードからなる記録媒体であり、処理部６５および作業領域６４が編集処理部である。また、文字情報選択部６１および文字入力部６２は編集処理選択部に含まれるものであり、さらに図示していないが、編集処理選択部には、管理データに記述された文字情報を他の文字情報に変更する編集処理（以下「管理データ変更処理」という）を選択する手段がある。
【００３９】
以上のように構成された編集装置の動作を、図４に示すアルゴリズムのフローチャートに沿って説明する。ここでは、編集処理選択部の図示していない手段により管理データ変更処理を選択した後の動作について説明する。
【００４０】
プレイリスト選択部６０でユーザが選択したプレイリストの識別情報を作業領域６４に記録し（処理７０１）、文字情報選択部６１でユーザが選択した文字情報の識別情報を作業領域６４に記録し（処理７０２）、文字入力部６２でユーザが入力した文字を作業領域６４に記録し（処理７０３）、作業領域６４に記録されているカウンタであるＸを０で初期化し（処理７０４）、作業領域６４に記録されている過去ログの初期化を行う（処理７０５）。ただし、処理７０１〜７０５の順序はどのようなものでも構わない。
【００４１】
次に、作業領域６４に記録されているプレイリストの識別情報を持つプレイリストを記録部６３から検索し、そのプレイリストのＸ＋１番目に再生する曲が登録されているかを確認し（分岐７０６）、登録されていればその曲を記録部６３に記録されている過去ログと比較し（分岐７０７）、変更済であれば処理７１０に飛ぶ。未変更であればその曲の管理データを記録部６３から検索し、記録部６３に記録されている文字情報の識別情報を持つ文字情報を検索し、それを作業領域６４に記録されている文字と置き換え（処理７０８）、その曲の識別情報を過去ログに記録し（処理７０９）、Ｘの値を１つ増やし（処理７１０で）、分岐７０６に戻る。登録されている全ての曲に対して文字情報の変更を終えれば、分岐７０６でＮＯに進み、処理が完了する。
【００４２】
例えば、図９のようなデータに対してこの方法を用いると、処理７０１でプレイリスト１、処理７０２でアーティスト名、処理７０３で「山田太郎」を指定すれば、処理７０８でＸが０のとき曲Ｅのアーティスト名を「山田太郎」、Ｘが１のとき曲Ｃのアーティスト名を「山田太郎」、Ｘが２のとき曲Ｄのアーティスト名を「山田太郎」に変更し、次に分岐７０６でＮＯに進み、処理が完了する。
【００４３】
以上のように第２の実施の形態によれば、ユーザはプレイリスト選択部６０で選択されるひとつのプレイリストを指定し、１度文字情報を入力するだけで、そのプレイリストに登録された曲全てを文字情報変更対象とみなし、それらの曲の文字情報を一括して変更することができる。したがって、プレイリストに登録されている曲全てに同じ文字情報の変更をする場合に、ユーザによる曲指定および文字情報入力回数を減らすことができる。これは、１人（または１グループ）のアーティストによって作成されたＣＤアルバムに記録された音楽データをＳＤカードで使用できるデータに変換した後、アーティスト名やアルバム名を記入する場合に有効である。
【００４４】
（第３の実施の形態）
図５は本発明の第３の実施の形態における編集装置のブロック図である。８０はプレイリストの選択を行うプレイリスト選択部、８１は音楽データと管理データとプレイリストが記録されている記録部、８２は作業領域である。作業領域８２には、プレイリスト選択部８０によって選択された内容、およびカウンタ、および書き換え済の曲の識別情報が記録される過去ログが処理部８３によって記録される。また、処理部８３は作業領域８２に記録された内容に基づいて記録部８１に記録された内容を書き換える。記録部８１はＳＤカードからなる記録媒体であり、処理部８３および作業領域８２が編集処理部である。また、図示していないが、音楽データを削除する編集処理を選択できる編集処理選択部がある。
【００４５】
以上のように構成された編集装置の動作を、図６に示すアルゴリズムのフローチャートに沿って説明する。ここでは、図示していない編集処理選択部により音楽データを削除する編集処理を選択した後の動作について説明する。
【００４６】
プレイリスト選択部８０でユーザが選択したプレイリストの識別情報を作業領域８２に記録し（処理９０１）、作業領域８２に記録されているカウンタであるＸを０で初期化し（処理９０２）、作業領域８２に記録されている過去ログの初期化を行う（処理９０３）。ただし、処理９０１〜９０３の順序はどのようなものでも構わない。
【００４７】
次に、作業領域８２に記録されたプレイリストの識別情報を持つプレイリストを記録部８１から検索し、そのプレイリストのＸ＋１番目に再生する曲が登録されているかを確認し（分岐９０４）、登録されていればその曲と過去ログを比較し（分岐９０５）、削除済であれば処理９０９へ飛ぶ。未削除であればその曲の音楽データと管理データを記録部８１から検索し、そのデータの削除を行い（処理９０６）、記録部８１に記録されている全てのプレイリストからその曲を登録しているものを検索し、その登録の解除を行う（処理９０７）。ただし、処理９０６と処理９０７は順序が逆でもよい。次に処理９０８でその曲の識別情報を過去ログに記録し、処理９０９でＸの値を１つ増やし、分岐９０４へ戻る。登録されている全ての曲の削除、登録解除を終えれば、分岐９０４でＮＯに進み、処理が完了する。
【００４８】
例えば、図９のようなデータに対してこの方法を用いると、処理９０１でプレイリスト１を指定すれば、処理９０６と処理９０７でＸが０のとき曲Ｅの削除および登録削除、Ｘが１のとき曲Ｃの削除および登録削除、Ｘが２のとき曲Ｄの削除および登録削除が行われ、次に分岐９０４でＮＯに進み、処理が完了する。
【００４９】
以上のように第３の実施の形態によれば、ユーザはプレイリスト選択部８０で選択される１つのプレイリストを指定する（１度の入力作業を行う）ことにより、そのプレイリストに登録されている全ての曲を削除対象とみなし、一括して削除することができる。したがって、プレイリストに登録されている曲全てを削除する場合に、ユーザによる曲指定入力回数を減らすことができる。これは、ユーザがあるプレイリストに登録されている曲全て（１つのＣＤアルバムと見なす）に聞き飽きてしまい、新しいＣＤアルバムの曲とまるごと入替えたい場合に有効である。
【００５０】
（第４の実施の形態）
図７は本発明の第４の実施の形態における編集装置のブロック図である。１００はプレイリストの選択を行うプレイリスト選択部、１０１は音楽データと管理データとプレイリストが記録されている記録部、１０２は作業領域である。作業領域８２には、プレイリスト選択部１００によって選択された内容、およびカウンタが処理部１０３によって記録される。また、処理部１０３は作業領域１０２に記録された内容に基づいて記録部１０１に記録された内容を書き換える。記録部１０１はＳＤカードからなる記録媒体であり、処理部１０３および作業領域１０２が編集処理部である。また、図示していないが、一のプレイリストの内容を他のプレイリストに追加する編集処理を選択できる編集処理選択部がある。
【００５１】
以上のように構成された編集装置の動作を、図８に示すアルゴリズムのフローチャートに沿って説明する。ここでは、図示していない編集処理選択部により一のプレイリストの内容を他のプレイリストに追加する編集処理を選択した後の動作について説明する。そして、例えば図９のプレイリスト１の内容をプレイリスト２に追加する場合について説明する。
【００５２】
プレイリスト選択部１００でユーザが選択した追加されるプレイリスト２の識別情報を作業領域１０２に記録し（処理１１０１）、作業領域１０２に記録されている追加されるプレイリスト２の識別情報を持つプレイリスト２を記録部１０１から検索し、その曲数＋１を作業領域１０２に記録されているカウンタであるＹに代入する（処理１１０２）。次に、１００でユーザが選択した追加するプレイリスト１の識別情報を作業領域１０２に記録し（処理１１０４）、作業領域１０２に記録されているカウンタであるＸを０で初期化する（処理１１０５）。ただし、処理１１０３〜１１０５の順序はどのようなものであっても構わない。また、処理１１０４および処理１１０５は処理１１０１が行われる前に行われても構わない。
【００５３】
次に、作業領域１０２に記録された追加するプレイリスト１の識別情報を持つプレイリスト１を記録部１０１から検索し、そのプレイリスト１のＸ＋１番目に再生する曲が登録されているかを確認し（分岐１１０６）、登録されていればその曲を追加されるプレイリスト２の曲順Ｙに登録し（処理１１０７）、処理１１０８でＸの値を１つ増やし、処理１１０９でＹの値を１つ増やし、分岐１１０６へ戻る。ただし、処理１１０８と処理１１０９は順序が逆でもよい。追加するプレイリスト１に登録されている全ての曲の登録を終えれば、分岐１１０６でＮＯに進み、さらにプレイリスト登録の終了を認識すれば分岐１１０３でＹＥＳに進み、処理が完了する。
【００５４】
図９のようなデータの場合、処理１１０１でプレイリスト２を指定し、処理１１０４でプレイリスト１を指定すれば、処理１１０７でＸが０のとき曲Ｅをプレイリスト２の５曲目に登録、Ｘが１のとき曲Ｃをプレイリスト２の６曲目に登録、Ｘが３のとき曲Ｄをプレイリスト２の７曲目に登録し、次に分岐１１０６でＮＯに進み分岐１１０３に戻る。ここでプレイリスト登録を終了すれば、処理が完了する。
【００５５】
以上のように第４の実施の形態によれば、ユーザは２つのプレイリストを指定することによって、１つのプレイリストに登録された全ての曲をもう１つのプレイリストへの登録対象曲とみなすことができ、新たに１曲ずつ指定して登録するよりもユーザによる入力回数を減らすことができる。このように、２つのプレイリストに登録されている曲順・曲数をつないだ構造を持つ新しいプレイリストを作成する場合に、ユーザによる曲指定入力回数を減らすことができる。また、これにより、いくつかのプレイリストをつなげるという感覚で新しいプレイリストを作成することが可能となる。
【００５６】
【発明の効果】
以上のように本発明は、プレイリストに登録された全ての曲に対して同一の編集処理を行う場合に、ユーザによる曲の指定作業の回数を減らすことができ、編集作業の簡単化を図ることができ、作業時間も短縮することができる。
【図面の簡単な説明】
【図１】本発明の第１の実施の形態における編集装置のブロック図
【図２】本発明の第１の実施の形態における編集装置の動作のアルゴリズムのフローチャート
【図３】本発明の第２の実施の形態における編集装置のブロック図
【図４】本発明の第２の実施の形態における編集装置の動作のアルゴリズムのフローチャート
【図５】本発明の第３の実施の形態における編集装置のブロック図
【図６】本発明の第３の実施の形態における編集装置の動作のアルゴリズムのフローチャート
【図７】本発明の第４の実施の形態における編集装置のブロック図
【図８】本発明の第４の実施の形態における編集装置の動作のアルゴリズムのフローチャート
【図９】ＳＤオーディオ規格のデータ構成図
【図１０】従来の編集装置のブロック図
【図１１】従来の編集装置を用いて図９に示されるプレイリスト１に登録された曲全てを削除するときのアルゴリズムを示すフローチャート
【符号の説明】
１０  音楽データ（曲）の識別情報
１１  音楽（曲）データ
１２  管理データ
１３  プレイリスト
４０  プレイリスト選択部
４１  記録部
４１  書き換え手段選択部
４３  作業領域
４４  処理部
６０  プレイリスト選択部
６１  文字情報選択部
６２  文字情報入力部
６３  記録部
６４  作業領域
６５  処理部
８０  プレイリスト選択部
８１  記録部
８２  作業領域
８３  処理部
１００  プレイリスト選択部
１０１  記録部
１０２  作業領域
１０３  処理部
【図１】
0004383649.tif 000002
【図２】
0004383649.tif 000003
【図３】
0004383649.tif 000004
【図４】
0004383649.tif 000005
【図５】
0004383649.tif 000006
【図６】
0004383649.tif 000007
【図７】
0004383649.tif 000008
【図８】
0004383649.tif 000009
【図９】
0004383649.tif 000010
【図１０】
0004383649.tif 000011
【図１１】
0004383649.tif 000012